(57)【要約】【課題】新規かつ改良された現金管理装置及び現金管理システムを提供する。【解決手段】第１の担当者の操作により、釣銭機に収納するための釣銭を出金する出金部と、前記第１の担当者の操作により、前記釣銭機に入金された売上金を収納する入金部と、前記釣銭機に残された前記釣銭を引継ぐ第２の担当者の情報と、引継ぎに関する情報とを取得する情報取得部と、前記第２の担当者に前記釣銭機に残された釣銭を引継ぐ引継処理を行う処理部と、を備える、現金管理装置を提供する。【選択図】図６
2019061626.tif 000002
【特許請求の範囲】
【請求項１】
第１の担当者の操作により、釣銭機に収納するための釣銭を出金する出金部と、
前記第１の担当者の操作により、前記釣銭機に入金された売上金を収納する入金部と、
前記釣銭機に残された前記釣銭を引継ぐ第２の担当者の情報と、引継ぎに関する情報とを取得する情報取得部と、
前記第２の担当者に前記釣銭機に残された釣銭を引継ぐ引継処理を行う処理部と、
を備える、現金管理装置。
【請求項２】
前記処理部は、
前記第１の担当者の操作によって、前記釣銭機に残された釣銭を前記入金部に収納した旨の第１の情報と、
前記第２の担当者の操作によって、前記釣銭機に残された釣銭を前記出金部から出金した旨の第２の情報と、
を生成する、
請求項１に記載の現金管理装置。
【請求項３】
前記第１の情報と前記第２の情報とは、同一時刻に紐づけられて生成される、請求項２に記載の現金管理装置。
【請求項４】
前記処理部は、前記第２の担当者が使用する引継管理情報を生成して、出力する、請求項１〜３のいずれか１項に記載の現金管理装置。
【請求項５】
前記引継管理情報を読み取る読取部をさらに備える、請求項４に記載の現金管理装置。
【請求項６】
現金管理機と、管理端末とを含む現金管理システムであって、
前記現金管理機は、
第１の担当者の操作により、釣銭機に収納するための釣銭を出金する出金部と、
前記第１の担当者の操作により、前記釣銭機に入金された売上金を収納する入金部と、
前記釣銭機に残された前記釣銭を引継ぐ第２の担当者の情報と、引継ぎに関する情報とを取得する情報取得部と、
前記第２の担当者に前記釣銭機に残された釣銭を引継ぐ引継処理を行う処理部と、
を有し、
前記管理端末は、
前記現金管理機における入出金の状況を表示する表示部を有する、
現金管理システム。
【請求項７】
前記釣銭機と、前記釣銭機に接続された窓口端末とをさらに含む、請求項６に記載の現金管理システム。
【請求項８】
第３の担当者が使用する携帯端末をさらに含む、請求項６又は７に記載の現金管理システム。
【請求項９】
各担当者の売上情報を管理する売上情報管理サーバをさらに含む、請求項６〜８のいずれか１項に記載の現金管理システム。
【発明の詳細な説明】
【技術分野】
【０００１】
本発明は、現金管理装置及び現金管理システムに関する。
【背景技術】
【０００２】
スーパーマーケット等の店舗では、顧客が購入した商品等の精算を行うために各売場等にレジスタ（釣銭機）を設置し、従業員が、顧客に対応しつつ、当該レジスタを操作することにより、精算を行うことができる。上記レジスタには、顧客に払い出すための釣銭が収納される。当該釣銭は、レジスタの操作を担当する従業員によって、当該従業員の業務開始時に店舗のバックヤードに設置された現金管理機（現金管理装置）から出金され、上記レジスタに収納される。さらに、上記従業員の業務終了時には、当該従業員によって、上記レジスタから顧客から支払われた売上金とともに残った釣銭は回収され、上記現金管理機に入金される。
【０００３】
例えば、下記特許文献１においては、店舗等に設置される各レジスタには、予めレジスタカードが割り当てられており、レジスタの操作を担当する従業員又は管理者は、担当するレジスタに割当てられたレジスタカードを用いて現金管理機から釣銭を出金し、出金した釣銭をレジスタに収納する。
【０００４】
上記レジスタの操作は、複数の従業員によって交代して行われる。そして、レジスタに収納される釣銭は、当該レジスタの操作を担当する従業員の業務が新たに開始されるごとに、現金管理機から出金され、レジスタに収納される。さらに、当該釣銭は、当該従業員の業務が終了するごとに、レジスタから回収され、現金管理機に入金される。このように、担当者が交代するごとに、現金管理機からの釣銭の出金、レジスタへ釣銭の収納、レジスタからの釣銭の回収、現金管理機への釣銭の入金の一連の動作を行うことにより、釣銭の管理について責任を負うべき担当者を明確にすることができることから、釣銭の管理を確実に行うことができる。
【先行技術文献】
【特許文献】
【０００５】
【特許文献１】特開２００８−４６９２０号公報
【発明の概要】
【発明が解決しようとする課題】
【０００６】
しかしながら、上述のように、先の担当者（引継元）によるレジスタ（釣銭機）からの釣銭の回収、回収した釣銭の現金管理機（現金管理装置）への入金、及び、次の担当者（引継先）による現金管理機からの釣銭の出金、出金した釣銭のレジスタへの収納を行うことから、先の担当者から次の担当者へとレジスタを引継ぐ引継時間が長くなってしまうことが避けられなかった。そして、顧客が商品の代金を支払おうとした場合であっても、当該引継時間中には上記顧客への対応ができないことから、引継時間が長くなることにより顧客に不便をしいることとなってしまっていた。
【０００７】
そこで、本発明は、上記問題に鑑みてなされたものであり、本発明の目的とするところは、業務停止時間を最小限に抑えることが可能な、新規且つ改良された現金管理装置及び現金管理システムを提供することにある。
【課題を解決するための手段】
【０００８】
上記課題を解決するために、本発明のある観点によれば、第１の担当者の操作により、釣銭機に収納するための釣銭を出金する出金部と、前記第１の担当者の操作により、前記釣銭機に入金された売上金を収納する入金部と、前記釣銭機に残された前記釣銭を引継ぐ第２の担当者の情報と、引継ぎに関する情報とを取得する情報取得部と、前記第２の担当者に前記釣銭機に残された釣銭を引継ぐ引継処理を行う処理部と、を備える、現金管理装置が提供される。
【０００９】
前記処理部は、前記第１の担当者の操作によって、前記釣銭機に残された釣銭を前記入金部に収納した旨の第１の情報と、前記第２の担当者の操作によって、前記釣銭機に残された釣銭を前記出金部から出金した旨の第２の情報と、を生成してもよい。
【００１０】
前記第１の情報と前記第２の情報とは、同一時刻に紐づけられて生成されてもよい。
【００１１】
前記処理部は、前記第２の担当者が使用する引継管理情報を生成して、出力してもよい。
【００１２】
前記現金管理装置は、前記引継管理情報を読み取る読取部をさらに備えてもよい。
【００１３】
また、上記課題を解決するために、本発明の別の観点によれば、現金管理機と、管理端末とを含む現金管理システムであって、前記現金管理機は、第１の担当者の操作により、釣銭機に収納するための釣銭を出金する出金部と、前記第１の担当者の操作により、前記釣銭機に入金された売上金を収納する入金部と、前記釣銭機に残された前記釣銭を引継ぐ第２の担当者の情報と、引継ぎに関する情報とを取得する情報取得部と、前記第２の担当者に前記釣銭機に残された釣銭を引継ぐ引継処理を行う処理部と、を有し、前記管理端末は、前記現金管理機における入出金の状況を表示する表示部を有する、現金管理システムが提供される。
【００１４】
前記現金管理システムは、前記釣銭機と、前記釣銭機に接続された窓口端末とをさらに含んでもよい。
【００１５】
前記現金管理システムは、第３の担当者が使用する携帯端末をさらに含んでもよい。
【００１６】
前記現金管理システムは、各担当者の売上情報を管理する売上情報管理サーバをさらに含んでもよい。
【発明の効果】
【００１７】
以上説明したように本発明によれば、業務停止時間を最小限に抑えることができる。
【図面の簡単な説明】
【００１８】
【図１】本発明の第１の実施形態に係る現金管理システム１の構成例を説明する説明図である。
【図２】同実施形態に係る現金管理機１００のブロック図である。
【図３】同実施形態に係る記憶部１３０に格納される情報の構成例を説明する説明図である。
【図４】同実施形態に係る売上情報管理サーバ４００のブロック図である。
【図５】同実施形態に係る記憶部４３０に格納される情報の構成例を説明する説明図である。
【図６】同実施形態に係る現金管理方法のシーケンス図である。
【図７】同実施形態に係る現金管理機１００に表示される画面９００の一例を説明する説明図である。
【図８】同実施形態に係る現金管理機１００に表示される画面９０４の一例を説明する説明図である。
【図９】同実施形態に係る現金管理機１００に表示される画面９１２の一例を説明する説明図である。
【図１０】同実施形態に係る現金管理機１００に表示される画面９１６の一例を説明する説明図である。
【図１１】同実施形態に係る現金管理機１００に表示される画面９１８の一例を説明する説明図である。
【図１２】同実施形態に係る現金管理機１００に表示される画面９２０の一例を説明する説明図である。
【図１３】同実施形態に係る現金管理機１００に表示される画面９２２の一例を説明する説明図である。
【図１４Ａ】同実施形態に係る残置入金レシート９７０の一例を説明する説明図である。
【図１４Ｂ】同実施形態に係る残値入金引継情報レシート９８０の一例を説明する説明図である。
【図１５】現金管理機１００に格納される情報テーブル９３０の一例を説明する説明図である。
【図１６】本発明の第２の実施形態に係る窓口端末２００に表示される画面８００の一例を説明する説明図である。
【図１７】同実施形態に係る窓口端末２００に表示される画面８０８の一例を説明する説明図である。
【図１８】同実施形態に係る窓口端末２００に表示される画面８１４の一例を説明する説明図である。
【図１９】本発明の第３の実施形態に係る記憶部４３０ａに格納される情報の構成例を説明する説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
また、本明細書および図面において、実質的に同一又は類似の機能構成を有する複数の構成要素を、同一の符号の後に異なる数字を付して区別する場合がある。ただし、実質的に同一又は類似の機能構成を有する複数の構成要素の各々を特に区別する必要がない場合、同一符号のみを付する。また、異なる実施形態の類似する構成要素については、同一の符号の後に異なるアルファベットを付して区別する場合がある。ただし、類似する構成要素の各々を特に区別する必要がない場合、同一符号のみを付する。
【００２１】
＜＜本発明の実施形態をなすに至った経緯＞＞
まずは、本発明の実施形態の説明に先立ち、本発明者が本発明の実施形態をなすに至った経緯について説明する。
【００２２】
先に説明したように、スーパーマーケット等の店舗では、顧客が購入した商品等の精算を行うために各売場等に釣銭機が設置されている。上記釣銭機には、顧客に払い出すための釣銭が収納されるが、当該釣銭は、釣銭機の操作を担当する担当者によって、当該担当者の業務開始時に店舗のバックヤードに設置された現金管理機（現金管理装置）から出金され、上記釣銭機に収納される。さらに、上記担当者の業務終了時には、当該担当者によって、上記釣銭機から顧客から支払われた売上金とともに残った釣銭は回収され、上記現金管理機に入金される。また、先に説明したように、店舗に設置された釣銭機の操作は、店舗の営業時間等に応じて、例えば、１０時から１２時までを担当者Ａが上記釣銭機を担当し、次に、１２時から１５時までを担当者Ｂが担当し、１５時から１８時までを担当者Ｃが担当するといったように、複数の担当者によって交代して行われる。
【００２３】
そして、釣銭機に収納される釣銭は、当該釣銭機の操作を担当する担当者の業務が新たに開始されるごとに、現金管理機から出金され、釣銭機に収納される。さらに、当該釣銭は、当該担当者の業務が終了するごとに、釣銭機から回収され、現金管理機に入金される。すなわち、担当者が交代するごとに、現金管理機からの釣銭の出金、釣銭機へ釣銭の収納、釣銭機からの釣銭の回収、現金管理機への釣銭の入金の一連の動作を行っていた。このように現金管理機の釣銭の入出金を釣銭機の管理単位である釣銭機の担当者ごとに行うことで、担当者が現金管理機から最初に出金した釣銭を現金管理機に再び全額入金することとなることから、釣銭の管理について責任を負うべき担当者を明確にすることができる。その結果、釣銭の管理を確実に行うことができる。
【００２４】
しかしながら、上述のように、先の担当者（引継元）による釣銭機からの釣銭の回収、回収した釣銭の現金管理機への入金、及び、次の担当者（引継先）による現金管理機からの釣銭の出金、出金した釣銭のレジスタへの収納を行うことから、先の担当者から次の担当者へと釣銭機を引継ぐ引継時間が長くなってしまうことが避けられなかった。そして、顧客が商品の代金を支払おうとした場合であっても、当該引継時間中には顧客への対応ができないことから、引継時間が長くなることにより顧客に不便をしいることとなってしまっていた。特に、店舗によっては、２４時間３６５日営業することもあり、切れ目なく顧客へ対応することが求められる場合がある。
【００２５】
また、次の担当者が用いる釣銭を、先の担当者の業務中に現金管理機から予め出金しておいて、先の担当者による釣銭機からの釣銭及び売上金の回収が完了したら、すぐに次の担当者が用いる釣銭を釣銭機に収納することにより、引継時間を短縮することが考えられる。しかしながら、このような時間短縮策は、効果が一部に限られる上、先の担当者用の釣銭と次の担当者用の釣銭として２倍の額の釣銭（釣銭準備金）を現金管理機に準備しなくてはならない。
【００２６】
そこで、このような状況を鑑みて、本発明者は、本発明の実施形態に係る現金管理機及び現金管理システムを創作するに至った。本発明の実施形態においては、先の担当者が釣銭機に残した釣銭を、そのままの釣銭機に残した状態のまま、次の担当者が当該釣銭を引継ぐことができる。さらに、当該実施形態においては、管理情報の上では、先の担当者によって釣銭機から釣銭を回収し、回収した釣銭を現金管理機に入金し、次の担当者によって現金管理機から釣銭を出金し、出金した釣銭を釣銭機に収納したとする扱いとする。このようにすることで、当該実施形態においては、各段階において釣銭の管理に責任を負うべき担当者を明確にしつつ、現金管理機から一度出金した釣銭を複数の担当者間で使いまわすことができることから、釣銭の出金、収納、回収、入金に係る作業を省略し、業務停止時間を最小限に抑えることができる。以下、このような本発明の実施形態を順次詳細に説明する。
【００２７】
なお、以下の説明においては、先の担当者が釣銭機に残した釣銭を、釣銭機に残したまま次の担当者に引継ぐ処理のことを、「残置入金」と呼ぶ。
【００２８】
また、以下に説明する本発明の実施形態に係る現金管理システムは、スーパーマーケット等の店舗等で利用されることに限定されるものではなく、金融機関の営業店舗等で利用されてもよく、様々な業種における現金の管理に適用することができる。
【００２９】
＜＜第１の実施形態＞＞
まず、本発明の第１の実施形態を説明する。以下に説明する本発明の第１の実施形態は、従来から使用されている現金管理システムにおける現金管理機を改良することにより実現される。従って、本実施形態によれば、現金管理機を改良することにより実現することができることから、本実施形態に係る現金管理システムの導入に係るコストを抑えることができる。
【００３０】
＜現金管理システム１の構成＞
まずは、本発明の第１の実施形態に係る現金管理システム１の構成を、図１を参照して説明する。図１は、本実施形態に係る現金管理システム１の構成例を説明する説明図である。図１に示すように、本実施形態に係る現金管理システム１は、現金管理機（現金管理装置）１００と、窓口端末２００と、釣銭機３００と、売上情報管理サーバ４００と、管理端末５００と、携帯端末６００とを主に含む。なお、図１においては、現金管理機１００、窓口端末２００、釣銭機３００、管理端末５００、及び携帯端末６００は１台ずつ図示されているが、本実施形態においては、これらは１台に限定されるものではなく、それぞれ複数台含まれていてもよい。
【００３１】
本実施形態に係る現金管理システム１は、顧客から商品代金等を授受する担当者ごとに、現金管理機１００から出金した釣銭の金額等の釣銭情報と、顧客へ販売した日時や商品名、商品単価、数量、合計金額等の売上情報とを管理し、売上金額等の締上げ（集計）を行うシステムである。具体的には、担当者が、釣銭機３００と接続された窓口端末２００等を操作することによって、釣銭情報や売上情報を売上情報管理サーバ４００に格納する。売上情報管理サーバ４００は、該当する担当者が窓口端末２００で締上げを行うことによって該当計理日の売上金を確定させて売上情報を生成する。さらに、売上情報管理サーバ４００は、現金管理機１００と管理端末５００に対して、該当する担当者の釣銭情報と売上情報とを送信することもできる。以下に、本実施形態に係る現金管理システム１の各装置の概要について説明する。
【００３２】
（現金管理機１００）
現金管理機１００は、窓口端末２００及び釣銭機３００を操作して、顧客から商品代金等を受領する担当者に対して、釣銭の入出金と売上金の収納とを行う装置である。詳細には、現金管理機１００は、担当者との間で、後述する各釣銭機３００等に収納するための釣銭（紙幣及び硬貨）を出金する出金取引と、各釣銭機３００から回収した売上金（紙幣及び硬貨）及び釣銭の入金する入金取引を行う。上記出金取引においては、現金管理機１００は、予め設定されている金額、金種別枚数あるいは指定する金額、金種別枚数の釣銭を出金する。上記入金取引においては、現金管理機１００は、売上情報管理サーバ４００から取得した担当者ごとの釣銭の出金情報と売上情報とに従って、釣銭と売上金との合計金額に係る現金の入金を行う。例えば、担当者が、業務開始時に現金管理機１００を操作して、釣銭として２０万円分の現金を出金し、業務中に顧客から商品代金として６０万円分受領した場合を考える。この場合には、上記担当者は、業務終了時に現金管理機１００を操作して、６０万円と２０万円との合計金額である８０万円分の現金を入金する。なお、現金管理機１００は、残置入金（釣銭を入金せずに、売上金だけを入金する）を行うことができるが、その際の現金管理機１００の動作の詳細については後述する。また、現金管理機１００は、釣銭の入出金の詳細情報や、入金された売上金の詳細を後述する売上情報管理サーバ４００や管理端末５００に送信してもよい。
【００３３】
（窓口端末２００）
窓口端末２００は、店舗等の従業員（担当者）等が作業等を行うためのコンピュータ又はパーソナルコンピュータ（ＰＣ）等により実現され、後述する各釣銭機３００に接続され、当該釣銭機３００の入出金を管理し、売上情報管理サーバ４００と連携して担当者による締上げ処理を行う。また、窓口端末２００は、図１に示すように、入力部２０２と表示部２０４とを主に有する。詳細には、窓口端末２００は、担当者による入力部２０２に対する操作を受け付け、受け付けた操作に応じて釣銭機３００を制御する。さらに、窓口端末２００は、釣銭機３００の入出金の状況を表示部２０４に表示させたり、釣銭機３００の入出金の情報を売上情報管理サーバ４００へ送信したりすることもできる。そして、窓口端末２００は、図１に示すように、プリンタ２１０と接続されており、当該プリンタ２１０を制御することにより、入出金の状況等の情報を紙面に印刷して出力することもできる。
【００３４】
なお、窓口端末２００は、操作を行う担当者の携帯する社員カードやレジカードから社員情報等を取得するカードリーダ（図示省略）を有していてもよい。もしくは、窓口端末２００は、当該カードリーダの代わりに、生体認証を行う生体認証部（図示省略）を有していてもよい。このようなカードリーダ等を窓口端末２００に設けることにより、窓口端末２００の操作を開始する際に、担当者に対して本人確認を行うことができることから、窓口端末２００のセキュリティを高めることができる。
【００３５】
（釣銭機３００）
釣銭機３００は、顧客から受け取った商品代金等を売上金として入金し、顧客に釣銭の出金を行う装置である。具体的には、釣銭機３００は、担当者が顧客から商品代金として受け取った紙幣や硬貨を収納し、さらに、窓口端末２００の制御に応じて、顧客に釣銭として支払う紙幣や硬貨を払い出す。なお、本実施形態に係る釣銭機３００においては、売上金に係る現金も釣銭に係る現金も区別せずに収納しているが、上述の窓口端末２００において、売上金の計数を行っているため、釣銭機３００に収納された現金のうち、売上金に係る金額と、釣銭に係る金額とは明確に区別して把握することができる。また、釣銭機３００は、手提げ金庫（図示省略）やドロワー（図示省略）であってもよい。
【００３６】
（売上情報管理サーバ４００）
売上情報管理サーバ４００は、各店舗や、複数の店舗における現金の有高及び現金の移動、各担当者の売上情報等を管理するコンピュータであり、現金管理機１００や窓口端末２００等からの情報を取得して、売上と現金の有高等を管理する。具体的には、売上情報管理サーバ４００は、現金管理機１００や窓口端末２００等から送られてくる取引結果等の情報を履歴として格納し、さらに、現金管理機１００や窓口端末２００等から送られてくる売上金額や有高、金種毎の出金枚数や入金枚数等の情報に基づいて、釣銭や売上高を集計管理する。
【００３７】
（管理端末５００）
管理端末５００は、売上情報管理サーバ４００に格納された情報を管理者が監視するための装置であり、例えば、管理者等が作業等を行うためのＰＣ（パーソナルコンピュータ）等により実現される。また、管理端末５００は、図１に示すように、入力部５０２と表示部５０４とを主に有する。具体的には、管理端末５００は、管理者等による入力部５０２に対する入力操作に応じて、売上情報管理サーバ４００に履歴として格納された情報（例えば、売上情報）と、現金管理機１００等の入出金状況の情報とを表示部５０４に表示させることができる。そして、管理者等は、表示部５０４に表示された情報に基づいて、上記履歴情報と、現金管理機１００における入出金とが一致しているかを表示部５０４に表示される画面や図示しないプリンタによって印字出力した帳票等によって確認することができる。
【００３８】
（携帯端末６００）
携帯端末６００は、顧客宅や顧客の職場等を訪問する担当者（第３の担当者）等が外出先で使用するタブレット端末、スマートフォン等の携帯端末等により実現され、商品販売に関わる売上金と釣銭の入出金を管理し、売上情報管理サーバ４００と連携して担当者による締上げ処理を行う。携帯端末６００は、図１に示すように、入力部６０２と表示部６０４とを主に有する。具体的には、上記担当者は、外出先で顧客から受け取った商品代金を売上金として携帯する釣銭袋（図示省略）等に収納し、当該釣銭袋から現金を取り出して釣銭として顧客に払い出す。この際、上記担当者は、上記釣銭袋からの現金の入出金の状況や、売上情報等を、携帯端末６００を介して上述の売上情報管理サーバ４００へ送信する。さらに、図１に示すように、携帯端末６００は、例えば携帯可能なプリンタ６１０と接続されており、当該プリンタ６１０を制御することにより、入出金の状況等の情報を紙面に印刷して出力することができる。
【００３９】
（通信網７００）
通信網７００は、１つ又は複数の店舗内及び店舗外の情報の送受信に利用されるネットワークである。通信網７００は、有線又は無線であることができ、例えば、電話回線、衛星通信網等の公衆回線網や、インターネット、専用回線、Ｅｔｈｅｒｎｅｔ（登録商標）を含む各種のＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）などの任意の通信ネットワークから構成される。さらに、専用回線は、ＩＰ−ＶＰＮ（Ｉｎｔｅｒｎｅｔ  Ｐｒｏｔｏｃｏｌ‐Ｖｉｒｔｕａｌ  Ｐｒｉｖａｔｅ  Ｎｅｔｗｏｒｋ）等から構成されてもよい。また、専用回線に対して、何らかのセキュリティ手段（例えば、Ｓｅｃｕｒｅ  Ｓｏｃｋｅｔｓ  Ｌａｙｅｒ（ＳＳＬ）等）が施されていてもよい。
【００４０】
なお、本実施形態においては、現金管理システム１内の複数の装置が、通信網７００で接続され、当該通信網７００を介して情報のやり取りを行うことに限定されるものではなく、例えば、情報を記録することができる媒体等を介して情報のやり取りを行ってもよい。このようにすることで、例えば災害等により通信網７００が切断された場合であっても、現金管理システム１を用いて店舗等での業務を継続することができる。
【００４１】
＜現金管理機１００の詳細構成＞
以上、本実施形態に係る現金管理システム１の構成を説明した。次に、図２及び図３を参照して、本実施形態に係る現金管理機１００の詳細構成を説明する。図２は、本実施形態に係る現金管理機１００のブロック図であり、図３は、本実施形態に係る記憶部１３０に格納される情報の構成例を説明する説明図である。図２に示すように、現金管理機１００は、入力部１０２、表示部１０４、紙幣入出金部１０６、硬貨入出金部１０８、プリンタ部１１０、バーコードリーダ部（読取部）１１２、通信部１１４、及び制御部１２０を主に有する。以下に、現金管理機１００の各機能部について説明する。
【００４２】
（入力部１０２）
入力部１０２は、現金管理機１００を操作する担当者の入力操作を受け付ける機能部であり、例えば、各種ボタン、テンキー、キーボード等から実現される。
【００４３】
（表示部１０４）
表示部１０４は、担当者に対して、操作画面や取引（処理）内容を表示する機能部であり、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置等により実現される。なお、上述の入力部１０２は、当該表示部１０４を構成する上記ディスプレイ装置に重ねて設けられたタッチパネルにより実現されてもよい。
【００４４】
（紙幣入出金部１０６）
紙幣入出金部１０６は、紙幣の入出金を行う機能部であり、具体的には、担当者の求めに応じて、紙幣の入金を受け付け、紙幣の種別を鑑別し、種別毎に計数し収納する。さらに、紙幣入出金部１０６は、担当者の求めに応じて収納した紙幣を出金する。
【００４５】
（硬貨入出金部１０８）
硬貨入出金部１０８は、硬貨の入出金を行う機能部であり、具体的には、担当者の求めに応じて、硬貨の入金を受け付け、硬貨の種別を鑑別し、種別毎に計数し収納する。さらに、硬貨入出金部１０８は、担当者の求めに応じて収納した硬貨を出金する。
【００４６】
すなわち、上述の紙幣入出金部１０６及び硬貨入出金部１０８は、担当者の操作により釣銭機３００に収納するための釣銭（紙幣及び硬貨）を出金する出金部として機能し、且つ、担当者の操作により、釣銭機３００から回収された釣銭及び売上金（紙幣及び硬貨）を入金する入金部として機能する。
【００４７】
（プリンタ部１１０）
プリンタ部１１０は、レシート等の印刷機能を有し、取引結果等をレシートに印刷して、担当者に対してレシート（例えば、残置入金レシート９７０（図１４Ａ  参照）や残置入金引継情報レシート９８０（図１４Ｂ  参照）を発行することができる。
【００４８】
（バーコードリーダ部１１２）
バーコードリーダ部１１２は、レシート等に印字された、一次元コード（例えばバーコード）又は二次元コード（例えばＱＲコード（登録商標）等）から情報を読み取ることができる機能部である。より具体的には、バーコードリーダ部１１２は、レシート等に印字された一次元又は二次元コードを読み取ることにより、担当者の引継に関する引継情報（引継管理情報）を取得することができる。なお、本実施形態においては、バーコードリーダ部１１２は、一次元コード又は二次元コード形式の情報が印刷されたレシートから情報を読み取るものに限定されるものではなく、例えば磁気カードやＩＣ(Ｉｎｔｅｇｒａｔｅｄ  Ｃｉｒｃｕｉｔ)カード等から磁気情報等を読み取る機能部であってもよい。なお、本実施形態においては、現金管理機１００は、後述するように通信網７００を介して情報を取得してもよい。
【００４９】
（通信部１１４）
通信部１１４は、例えば通信網７００等を介して、売上情報管理サーバ４００へ、現金の入出金の情報等を送信したり、売上情報管理サーバ４００から売上情報などを受信したりすることができる。
【００５０】
（制御部１２０）
制御部１２０は、例えば、ＣＰＵ（Ｃｅｎｔｒａｌ  Ｐｒｏｃｅｓｓｉｎｇ  Ｕｎｉｔ）等を中心に構成されており、現金管理機１００の各機能部を制御して、各種の取引を実行する。具体的には、制御部１２０は、図２に示すように、情報取得部１２２、現金管理処理部１２４、引継処理部１２６、及び記憶部１３０等のブロックを有する。以下に、制御部１２０の各ブロックの詳細について説明する。
【００５１】
−情報取得部１２２−
情報取得部１２２は、上述の入力部１０２に入力された引継情報（例えば、釣銭機３００に残された釣銭を引継ぐ担当者の情報、当該引継に関する釣銭額等の情報）を取得し、後述する引継処理部１２６へ出力する。もしくは、情報取得部１２２は、上述のバーコードリーダ部１１２によって読み取った引継情報を取得し、後述する引継処理部１２６へ出力する。
【００５２】
−現金管理処理部１２４−
現金管理処理部１２４は、現金管理機１００で行われる取引（例えば、入金取引、出金取引等）を実行すべく、紙幣入出金部１０６、硬貨入出金部１０８等を制御する。
【００５３】
−引継処理部１２６−
引継処理部１２６は、情報取得部１２２から出力された引継情報に基づき、釣銭機３００に残された釣銭を引継元の担当者（第１の担当者）から引継先の担当者（第２の担当者）へと引継ぐ処理を、釣銭実物の移動を伴うことなしに行うことができる。例えば、引継処理部１２６は、引継元の担当者の操作に応じて、釣銭機３００に残された釣銭が上述の紙幣入出金部１０６及び硬貨入出金部１０８に入金された旨の情報（第１の情報）を、実際には当該釣銭が紙幣入出金部１０６及び硬貨入出金部１０８に入金されていないにもかかわらず、生成する。また、引継処理部１２６は、例えば、上述の情報を生成した時刻と同一の時刻と紐づけて、引継先の担当者の操作に応じて、釣銭機３００に残された釣銭が上述の紙幣入出金部１０６及び硬貨入出金部１０８から出金された旨の情報（第２の情報）を、実際には当該釣銭が紙幣入出金部１０６及び硬貨入出金部１０８から出金されていないにもかかわらず、生成する。さらに、引継処理部１２６は、引継先の担当者が使用する引継情報を生成して、プリンタ部１１０へ出力することもできる。なお、引継元の担当者（第１の担当者）が現金管理機１００に入金する時点において引継先の担当者（第２の担当者）が決まっていない（未確定）場合は、上述の第１及び第２の情報を生成する際に、引継先の担当者としての仮の情報を設定し、引継先の担当者が情報を引継いだ際あるいは入金をする際に、仮の情報を正式な引継先の担当者の情報に置き換える。
【００５４】
−記憶部１３０−
記憶部１３０は、制御部１２０の有する、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等から実現され、現金管理機１００の動作を制御するための制御プログラムや、現金管理機１００の取引時における入力データ、表示画面等が格納されている。以下に、記憶部１３０に格納される情報について、図３を参照して説明する。図３に示すように、記憶部１３０には、担当者情報ＤＢ（Ｄａｔａ  Ｂａｓｅ）１３２と、釣銭情報ＤＢ１３４と、売上情報ＤＢ１３６と、引継情報ＤＢ１３８とが主に格納される。以下に、記憶部１３０に格納される情報について説明する。
【００５５】
〜担当者情報ＤＢ１３２〜
担当者情報ＤＢ１３２は、各担当者の情報を格納したデータベースであり、例えば、各担当者の社員番号、権限（例えば、残置入金を行う権限）、暗証番号等が格納されている。
【００５６】
〜釣銭情報ＤＢ１３４〜
釣銭情報ＤＢ１３４は、現金管理機１００に装填した釣銭や回収した釣銭の有高と金種別枚数の情報、現金管理機１００から出金された釣銭、現金管理機１００に入金された釣銭に関する情報、具体的には、入出金された釣銭の金額、入出金日時、入出金を行った担当者の情報等が格納されている。
【００５７】
〜売上情報ＤＢ１３６〜
売上情報ＤＢ１３６は、現金管理機１００に入金された売上金に関する情報、具体的には、入金された売上金の金額と金種別枚数、入金日時、入金を行った担当者の情報等が格納されている。
【００５８】
〜引継情報ＤＢ１３８〜
引継情報ＤＢ１３８は、釣銭機３００に残された釣銭を引継ぐための引継情報、具体的には、引継の行われた又は引継を行う日時、引継元及び引継先の担当者の情報、引継ぐ釣銭の金額や、引継ぎを特定するための引継番号、引継ぎ時点で引継先の担当者が未確定の場合における仮の情報、引継暗証番号等が格納される。
【００５９】
ここで、引継番号とは、残置入金処理の時点で引継先の担当者が未定の場合、引継ぐ釣銭を一意に特定するための特有の番号である。例えば、引継元となる担当者が締上げ及び残置入金を行った際に、引継先が未定である旨を選択すると、引継番号が自動的に生成される。さらに、引継先となる担当者が、引継番号とともに、自身を特定する例えば社員番号を窓口端末２００等に入力することにより、引継ぐ釣銭と引継先となる担当者の情報が引継番号を介して紐づけられ、引継情報が更新される。
【００６０】
また、ここで、引継暗証番号は、引継元の担当者が引継先の担当者に釣銭を引継ぐために残置入金を行った際に、自動的に生成され、残置入金レシート９７０（図１４Ａ  参照）と残置入金引継情報レシート９８０（図１４Ｂ  参照）に印字される。次に、引継元の担当者は、引継先の担当者に、残置入金引継情報レシート９８０を確実に手渡す。そして、引継先の担当者は、引継番号とともに引継暗証番号を現金管理機１００に入力することにより、引継先担当者自身が正当な引継先であるとして認証され、残置入金を行うことができる。なお、残置入金レシート９７０及び残置入金引継情報レシート９８０の詳細については後述する。
【００６１】
なお、現金管理機１００は、操作を行う担当者の携帯する社員カードやレジカードから社員情報等を取得するカードリーダ（図示省略）を有していてもよい。もしくは、現金管理機１００は、当該カードリーダの代わりに、生体認証を行う生体認証部（図示省略）を有していてもよい。このようなカードリーダ等を現金管理機１００に設けることにより、現金管理機１００の操作を開始する際に、操作者となる担当者に対して本人確認を行うことができ、現金管理機１００のセキュリティを高めることができる。
【００６２】
＜売上情報管理サーバ４００の詳細構成＞
以上、本実施形態に係る現金管理機１００の詳細構成を説明した。次に、図４及び図５を参照して、本実施形態に係る売上情報管理サーバ４００の詳細構成を説明する。図４は、本実施形態に係る売上情報管理サーバ４００のブロック図であり、図５は、本実施形態に係る記憶部４３０に格納される情報の構成例を説明する説明図である。図４に示すように、売上情報管理サーバ４００は、通信部４１４及び制御部４２０を主に有する。以下に、売上情報管理サーバ４００の各機能部について説明する。
【００６３】
（通信部４１４）
通信部５１４は、例えば通信網７００等を介して、現金管理機１００等からの情報を受信することができ、管理端末５００等へ情報を送信することができる。
【００６４】
（制御部４２０）
制御部４２０は、例えば、ＣＰＵ等を中心に構成されており、現金管理機１００等からの情報を取得し、後述する記憶部４３０に格納する。また、制御部４２０は、記憶部４３０に格納した情報を、管理端末５００へ出力することもできる。詳細には、制御部４２０は、図４に示すように記憶部４３０を有する。以下に、制御部４２０の有する記憶部４３０について説明する。
【００６５】
−記憶部４３０−
記憶部４３０は、制御部４２０の有する、ＲＯＭ、ＲＡＭ、ＨＤＤ（Ｈａｒｄ  Ｄｉｓｋ  Ｄｒｉｖｅ）等から実現され、店舗内等の現金に関する情報等が格納されている。以下に、記憶部４３０に格納される情報について図４を参照して説明する。図４に示すように、記憶部４３０には、担当者情報ＤＢ４３２と、釣銭情報ＤＢ４３４と、売上情報ＤＢ４３６と、締上情報ＤＢ４４０、店舗管理情報（図示省略）とが主に格納されている。なお、締上情報ＤＢ４４０以外は、現金管理機１００の記憶部１３０と同様の情報であるため、ここでは、締上情報ＤＢ４４０のみ説明する。
【００６６】
〜締上情報ＤＢ４４０〜
締上情報ＤＢ４４０は、各担当者の売上金や、入出金された釣銭を集計した情報、具体的には、各担当者が締上げを行った日時、各担当者の社員番号、集計金額等の情報が格納されている。
【００６７】
＜現金管理方法＞
以上、本実施形態に係る本実施形態に係る売上情報管理サーバ４００の詳細構成について説明した。次に、本実施形態に係る現金管理方法について、図６から図１５を参照して説明する。図６は、本実施形態に係る現金管理方法のシーケンス図である。図７から図１３は、本実施形態に係る現金管理機１００に表示される画面９００〜９２２の一例を説明する説明図である。図１４Ａは、本実施形態に係る残置入金レシート９７０の一例を説明する説明図である。図１４Ｂは、残置入金引継情報レシート９８０の一例を説明する説明図である。さらに、図１５は、現金管理機１００に格納される情報テーブル９３０の一例を説明する説明図である。
【００６８】
本実施形態に係る現金管理方法においては、先に担当した担当者が釣銭機３００に残した釣銭を、当該釣銭を釣銭機３００に残したまま、次に担当する担当者に引継ぐ、残置入金を行うことができる。本実施形態においては、現金管理機１００と管理端末５００とが協働することにより、このような残置入金を行うことができる。
【００６９】
本実施形態における「残置入金」では、釣銭の管理を担当する担当者を明確にするために、釣銭機３００に残された釣銭を、誰から誰に引継ぐのかを示す引継情報を取得することが求められる。当該引継情報は、例えば、引継元の担当者の社員番号、引継先の担当者の社員番号、引継ぐ釣銭の金額等の情報が含まれる。さらに、当該引継情報は、引継を特定するための引継番号、引継日時等の情報を含む。上記引継番号は、先に説明したように、引継情報の入力の際に、引継先の担当者が未定である場合、引継ぐ釣銭を特定するために利用する番号である。また、引継日時等の情報は、引継ぐ釣銭をより確実に特定するために用いる情報である。当該引継情報は、引継元又は引継先の担当者によって、現金管理機１００を用いて入力される。
【００７０】
なお、本実施形態においては、当該引継情報の入力は、引継元である担当者、又は、引継先である担当者、又は、これら両者が行うことができ、特に限定されるものではない。また、本実施形態においては、当該引継情報の入力に関しては、現金管理機１００を使用する。さらに、本実施形態においては、当該引継情報の入力のタイミングは、現金管理機１００へ売上金を入金する際に行う。
【００７１】
以下に、本実施形態に係る現金管理方法を、引継元の担当者が残置入金を行い、引継先の担当者が釣銭機３００に残された釣銭を引継ぐ場合を例として説明する。詳細には、本実施形態に現金管理方法は、図６に示すように、ステップＳ１０１からステップＳ１２７までの複数のステップを含むことができる。以下に、本実施形態に係る現金管理方法の各ステップの詳細を説明する。
【００７２】
具体的には、図６においては、担当者Ａから担当者Ｂへ、さらに、担当者Ｂから担当者Ｃへ、釣銭機３００に残された釣銭を引継ぐ場合を示している。なお、図６においては、釣銭及び売上金の金額について具体的な数値を示しているが、これは、本実施形態の理解を容易にするために示しているものであり、特にこのような数値に限定されるものではない。また、図６において、破線で囲まれたステップは、実際の現金の入出金が伴われない取引を示している。例えば、図６のステップＳ１０９の「釣銭２０万円入金」は、現金管理機１００に釣銭２０万円が実際に入金されることなく、現金管理機１００に釣銭２０万円が入金されたとする情報のみが生成されること意味する。すなわち、図６のステップＳ１０９においては、見かけ上、現金管理機１００に釣銭２０万円が入金されたこととなっており、実際には、現金管理機１００に釣銭２０万円が実際に入金されていない。
【００７３】
（ステップＳ１０１）
まず、担当者Ａは、現金管理機１００において本人認証を行い、現金管理機１００から釣銭２０万円を出金する。現金管理機１００は、釣銭情報ＤＢ１３４に釣銭２０万円が出金された旨の釣銭情報を格納するとともに、売上情報管理サーバ４００へ当該釣銭情報を送信する。
【００７４】
（ステップＳ１０３）
担当者Ａは、窓口端末２００において本人認証を行い、釣銭２０万円を釣銭機３００に収納して、業務を開始する。なお、当該業務中に担当者Ａが顧客から受け取った商品代金は、その都度、釣銭機３００に収納され、窓口端末２００によって、上記商品代金の金額等の売上情報が売上情報管理サーバ４００へ送信される。
【００７５】
（ステップＳ１０５）
担当者Ａは、自身の業務時間が終了すると、窓口端末２００を操作して、締上げを行い、自身の業務時間中に顧客から受け取った商品代金を売上金として集計する（ここでは、売上金は６０万円であったとする）。さらに、担当者Ａは、集計結果に基づいて、釣銭機３００から売上金６０万円の現金を回収する。なお、上述の締上げによって得られた締上情報は、窓口端末２００から売上情報管理サーバ４００へ送信される。
【００７６】
（ステップＳ１０７）
担当者Ａは、現金管理機１００において本人認証を行い、現金管理機１００に表示された取引選択画面から残置入金取引を選択する。例えば、現金管理機１００は、図７に示すような取引選択画面９００を表示部１０４に表示する。当該取引選択画面９００には、各種取引を選択するための操作ボタン９０２が含まれており、これら操作ボタン９０２の中から、「残置入金」に係る操作ボタン９０２を操作することにより、担当者Ａは、残置入金処理を選択することができる。
【００７７】
次に、現金管理機１００は、図８に示すような、引継に係る引継番号の入力及び引継元である担当者Ａの社員番号を入力するための入力画面９０４を表示部１０４に表示する。当該入力画面９０４には、引継番号を入力するための入力欄９０６、及び、引継元である担当者Ａの社員番号を入力するための入力欄９０８が含まれている。担当者Ａは、担当者Ａ本人が釣銭を出金しているので、入力画面９０４に対して、引継番号及び社員番号は空白のまま入力は行わず、確認ボタンを押下する。これによって現金管理機１００は、担当者Ａが釣銭を出金していることと、その釣銭を残置することを認識することができる。なお、当該入力画面９０４は、入力欄９０６、９０８以外にも、入力を取り消す取消操作ボタン９１０や、前に画面に戻るための操作ボタン９１０、入力した内容を確認した旨を入力する確認操作ボタン９１０等を含んでいてもよい。
【００７８】
さらに、現金管理機１００は、図９に示すような引継先である担当者Ｂの社員番号を入力するための入力画面９１２を表示部１０４に表示する。当該入力画面９１２には、引継先である担当者Ｂの社員番号を入力するための入力欄９１４が含まれている。担当者Ａは、入力画面９１２に対して担当者Ｂの社員番号を入力する。この時点で引継先の担当者として担当者Ｂが決まっていない場合は、入力画面９１２の社員番号は空白のまま、入力せずに確認ボタン９１０を押下する。なお、当該入力画面９１２は、入力欄９１４以外にも、入力を取り消す取消操作ボタン９１０等を含んでいてもよい。
【００７９】
そして、現金管理機１００は、記憶部１３０に格納された担当者情報ＤＢ１３２の情報を参照して、入力された担当者Ｂが残置入金を取り扱う権限を持つ従業員であるかを確認する。また、この残置入金を一意に決めるための引継番号を生成する。
【００８０】
次に、現金管理機１００は、図１０に示すような、引継内容の確認を行うための確認画面９１６を表示部１０４に表示する。当該確認画面９１６には、引継番号、引継元社員番号、担当者Ａが現金管理機１００へ入金したとみなされる釣銭金額（引受釣銭金額）（２０万円）、引継先社員番号、担当者Ｂが現金管理機１００から出金したとみなされる釣銭金額（引渡釣銭金額）（２０万円）等が表示される。従って、担当者Ａは、当該確認画面９１６を参照して、引継情報を確認し、確認が終了した旨を入力する操作ボタン９１０を操作する。なお、当該確認画面９１６は、入力を取り消す取消操作ボタン９１０等を含んでいてもよい。
【００８１】
さらに、現金管理機１００は、図１１に示すような、取引金額の確認を行うための確認画面９１８を表示部１０４に表示する。当該確認画面９１８には、担当者Ａがこれから現金管理機１００へ入金すべき売上金の金額（６０万円）、引継に係る釣銭の金額（引受釣銭金額、引渡釣銭金額）等が表示される。従って、担当者Ａは、当該確認画面９１８を参照して取引金額等を確認し、確認が終了した旨を入力する操作ボタン９１０を操作する。なお、当該確認画面９１８は、入力を取り消す取消操作ボタン９１０や、前に画面に戻るための操作ボタン９１０等を含んでいてもよい。また、上述の担当者Ａが現金管理機１００へ入金すべき売上金の金額は、現金管理機１００が売上情報管理サーバ４００から取得した売上情報又は締上情報に基づいて、決定される。
【００８２】
そして、現金管理機１００は、図１２に示すような、売上金の入金を指示する指示画面９２０を表示部１０４に表示して、担当者Ａからの売上金６０万円の入金を待ち受ける。なお、当該指示画面９２０は、取引を取り消す取消操作ボタン９１０や、前に画面に戻るための操作ボタン９１０、指示を確認した旨を入力する確認操作ボタン９１０、入金操作の手順を説明する動画（図示省略）等を含んでいてもよい。
【００８３】
次に、担当者Ａは、指示画面９２０に従って、現金管理機１００に売上金６０万円を入金する。
【００８４】
現金管理機１００は、入金された現金を計数して、計数した結果を、図１３に示すような取引金額の確認を行うための確認画面９２２に表示する。当該確認画面９２２には、担当者Ａが入金し、計数された現金の金額、担当者Ａが現金管理機１００へ入金すべき売上金金額、引継に係る釣銭の金額（引受釣銭金額、引渡釣銭金額）、過不足等が表示される。従って、担当者Ａは、当該確認画面９２２を参照して、計数された現金と売上金金額との一致を確認し、確認が終了した旨を入力する操作ボタン９１０を操作する。なお、当該確認画面９２２は、取引を取り消す取消操作ボタン９１０等を含んでいてもよい。
【００８５】
さらに、現金管理機１００は、計数された現金と売上金金額との一致を確認し、残置入金に関する情報（例えば、引継情報等）を含む残置入金レシート９７０（図１４Ａ  参照）や残置入金引継情報レシート９８０（図１４Ｂ  参照）を、印字して、担当者Ａに対して発行する。なお、残置入金レシート９７０は、担当者Ａによって行われた取引の確証となる帳票であり、残置入金レシート９７０の詳細については後述する。残置入金引継情報レシート９８０は、担当者Ａから担当者Ｂに手渡し等で引き渡される。ここで、担当者Ａの業務が完了する。また、現金管理機１００は、入金された売上金の情報を売上情報管理サーバ４００へ送信する。
【００８６】
なお、現金管理機１００は、担当者Ａにより入金された現金の金額が売上金金額よりも少ない場合には、追加の現金入金を待ち受けるか、もしくは、取引を終了する。一方、現金管理機１００は、担当者Ａから入金された現金の金額が売上金金額よりも多い場合には、過多分の現金を担当者Ａに返却して取引を継続するか、もしくは取引を終了する。
【００８７】
（ステップＳ１０９）
そして、現金管理機１００は、担当者Ａによって、釣銭機３００から釣銭２０万円が回収され、回収された釣銭２０万円が現金管理機１００へ入金されたとみなす釣銭情報を生成する。繰り返すようではあるが、実際には、上述の釣銭２０万円は、担当者Ａによって釣銭機３００から回収されておらず、従って現金管理機１００に入金されていない。そして、現金管理機１００は、入金されたとみなされる釣銭情報を売上情報管理サーバ４００へ送信する。
【００８８】
（ステップＳ１１１）
さらに、現金管理機１００は、回収された釣銭２０万円が現金管理機１００へ入金されたとみなされた時刻と同一時刻において、担当者Ｂにより現金管理機１００から釣銭２０万円が出金され、出金された釣銭２０万円が釣銭機３００に収納されたとみなす釣銭情報を生成する。繰り返すようではあるが、実際には、上述の釣銭２０万円は、担当者Ｂによって現金管理機１００から出金されておらず、従って釣銭機３００に収納されていない。そして、現金管理機１００は、出金されたとみなされる釣銭情報を、売上情報管理サーバ４００へ送信する。
【００８９】
（ステップＳ１１３）
次に、担当者Ｂは、現金管理機１００を操作することもなく、窓口端末２００において本人認証を行い、業務を開始する。この際、担当者Ｂは、釣銭機３００に釣銭を収納する作業を行わなくてもよい。
【００９０】
（ステップＳ１１５）
担当者Ｂは、自身の業務時間が終了すると、窓口端末２００を操作して、締上げを行い、釣銭機３００から売上金９０万円を回収する。
【００９１】
（ステップＳ１１７）
担当者Ｂは、現金管理機１００において本人認証を行い、現金管理機１００に表示された取引選択画面から残置入金取引を実行し、現金管理機１００に売上金９０万円を入金する。なお、当該ステップＳ１１７においては、引継元の情報があるため残置入金引継情報レシート９８０（図１４Ｂ  参照）を参照しながら引継番号や担当番号を入力すること、図示しない画面での引継暗証番号を入力すること以外は、上述したステップＳ１０７と同様であるため、ここでは詳細な説明を省略する。なお、引継番号は手入力するほかに、残置入金引継情報レシート９８０にバーコードを印刷して、それを読み取って入力してもよい。
【００９２】
そして、現金管理機１００は、入金された現金を計数して、計数された現金と売上金金額との一致を確認し、残置入金に関する情報を含む残置入金レシート９７０と残置入金引継情報レシート９８０を、印字して、担当者Ｂに対して発行する。また、現金管理機１００は、入金された売上金の情報を売上情報管理サーバ４００へ送信する。ここで、担当者Ｂの業務が完了する。詳細には、残置入金レシート９７０は、図１４Ａに示すように、残置入金が処理された日時、取引を特定するための取引通番、取引を行った担当者の社員番号等が印字されている。また、残置入金レシート９７０には、入金された売上金の種別毎の計数と、合計金額と、入出金されたとみなされた釣銭の金額と、売上金金額とが印字されている。さらに、残置入金レシート９７０には、引継情報（引継日時、引継先及び引継元の担当者の社員番号、引継番号、引継暗証番号等）が印字されている。また、図１４Ｂに示すように、残置入金引継情報レシート９８０には、引継情報が印字されており、担当者Ｂから担当者Ｃに手渡し等で引き渡される。
【００９３】
（ステップＳ１１９）
そして、現金管理機１００は、担当者Ｂによって、釣銭機３００から釣銭２０万円が回収され、回収された釣銭２０万円が現金管理機１００へ入金されたとみなす釣銭情報を生成する。そして、現金管理機１００は、入金されたとみなされる釣銭情報を売上情報管理サーバ４００へ送信する。
【００９４】
（ステップＳ１２１）
さらに、現金管理機１００は、回収された釣銭２０万円が現金管理機１００へ入金されたとみなされた時刻と同一時刻において、担当者Ｃにより現金管理機１００から釣銭２０万円が出金され、出金された釣銭２０万円が釣銭機３００に収納されたとみなす釣銭情報を生成する。そして、現金管理機１００は、出金されたとみなされる釣銭情報を売上情報管理サーバ４００へ送信する。
【００９５】
（ステップＳ１２３）
次に、担当者Ｃは、現金管理機１００を操作することもなく、窓口端末２００において本人認証を行い、業務を開始する。この際、担当者Ｃは、釣銭機３００に釣銭を収納する作業を行わなくてもよい。窓口端末２００は、担当者Ｃによる釣銭機３００への釣銭２０万円の収納が行われなかったにも関わらず、担当者Ｃによって釣銭機３００に釣銭２０万円が収納されたものとみなして処理を行う。なお、当該ステップＳ１２３は、上述したステップＳ１１３と同様であるため、ここでは詳細な説明を省略する。
【００９６】
（ステップＳ１２５）
担当者Ｃは、自身の業務時間が終了すると、釣銭を引継ぐ次の担当者がいないため、窓口端末２００を操作して、締上を行い、釣銭機３００から売上金４０万円及び釣銭２０万円を回収する。なお、当該ステップＳ１２５は、釣銭２０万円を出金する以外は、上述したステップＳ１１５と同様であるため、ここでは詳細な説明を省略する。
【００９７】
（ステップＳ１２７）
担当者Ｃは、現金管理機１００において本人認証を行い、入金取引を実施し、現金管理機１００に売上金４０万円及び釣銭２０万円を入金する。なお、当該ステップＳ１２７は、釣銭２０万円を入金することと次に引継ぎせず終えること以外は、上述したステップＳ１０７と同様であるため、ここでは詳細な説明を省略する。
【００９８】
そして、現金管理機１００は、入金された現金を計数して、計数された現金と売上金金額及び釣銭の合計額との一致を確認し、入金レシート（図示省略）を、印字して、担当者Ｃに対して発行する。また、現金管理機１００は、入金された売上金及び釣銭の情報を売上情報管理サーバ４００へ送信する。ここで、担当者Ｃの業務が完了する。当該入金レシートは、図１４Ａに示す残置入金レシート９７０とほぼ同じ情報を含み、入金が処理された日時、取引を特定するための取引通番、取引を行った担当者の社員番号等が印字されている。さらに、当該入金レシートには、入金された売上金の種別毎の計数と、合計金額と、売上金金額と、釣銭金額とが印字されている。
【００９９】
以上のような本実施形態の現金管理方法にかかる取引の情報は、現金管理機１００に格納されている。例えば、現金管理機１００は、取引情報を、図１５に示すような情報テーブル９３０として格納することができる。そして、管理端末５００は、現金管理機１００から上記情報テーブル９３０を取得することにより、表示部５０４に当該テーブル９３０を表示することができる。
【０１００】
詳細には、情報テーブル９３０には、担当者Ａ、担当者Ｂ及び担当者Ｃが行った入出金の情報が、取引日時、社員番号、取引種別、釣銭入出金額、売上金入金金額等として格納されている。より具体的には、当該情報テーブル９３０には、実際には担当者Ａが現金管理機１００に釣銭２０万円を入金していないにも関わらず、担当者Ａが現金管理機１００に釣銭２０万円を入金した情報が含まれている。さらに、当該情報テーブル９３０には、実際には担当者Ｂが現金管理機１００から釣銭２０万円を出金していないにも関わらず、担当者Ｂが現金管理機１００から釣銭２０万円を出金した情報が含まれている。また、同様に、当該情報テーブル９３０には、実際には担当者Ｂが現金管理機１００に釣銭２０万円を入金していないにも関わらず担当者Ｂが現金管理機１００に釣銭２０万円を入金した情報が含まれている。さらに、当該情報テーブル９３０には、実際には担当者Ｃが現金管理機１００から釣銭２０万円を出金していないにも関わらず、担当者Ｃが現金管理機１００から釣銭２０万円を出金した情報が含まれている。
【０１０１】
さらに、当該情報テーブル９３０に含まれる、担当者Ａが現金管理機１００に釣銭２０万円を入金した情報と、担当者Ｂが現金管理機１００から釣銭２０万円を出金した情報とを参照すると（図１５の領域９５０参照）、これら入出金が同一時刻に行われているとみなされていることがわかる。また、当該情報テーブル９３０に含まれる、担当者Ｂが現金管理機１００に釣銭２０万円を入金した情報と、担当者Ｃが現金管理機１００から釣銭２０万円を出金した情報とを参照すると（図１５の領域９５２参照）、これら入出金が同一時刻に行われているとみなされていることがわかる。なお、本実施形態においては、これら入出金が同一時刻に行われているとみなすことに限定されるものではなく、例えば、これら入出金が所定の時間分だけずらして行われたとみなしてもよい。
【０１０２】
このように、本実施形態においては、残置入金については、釣銭の移動が無いにも関わらず、記録上では釣銭の入金と釣銭の出金とが行われたこととみなされることとなる。このようにすることで、本実施形態によれば、釣銭に対して責任を持つべき担当者を明確にすることができる。
【０１０３】
以上のように、本実施形態によれば、釣銭機３００等に釣銭を残したまま、次に担当する担当者に当該釣銭を引継ぐことが可能となることから、これまで引継時間の大半を占めていた、先の担当者による釣銭機３００からの釣銭の回収、回収した釣銭の現金管理機１００への入金、及び、次の担当者による現金管理機１００からの釣銭の出金、出金した釣銭の釣銭機３００への収納等の作業が不要となる。その結果、本実施形態によれば、窓口端末２００及び釣銭機３００が引継のために停止する業務停止時間を最小限に抑えることができる。
【０１０４】
さらに、本実施形態によれば、例えば、引継時間を短縮するために、次の担当者が用いる釣銭を、先の担当者の業務中に現金管理機１００から予め出金しておいて、先の担当者による釣銭機３００からの釣銭及び売上金の回収が完了したら、すぐに次の担当者が用いる釣銭を釣銭機３００に収納するといった作業を行うこともない。従って、本実施形態によれば、先の担当者用の釣銭と次の担当者用の釣銭として２倍の額の釣銭（釣銭準備金）を現金管理機１００に準備することもないことから、釣銭準備金金額を圧縮することができる。
【０１０５】
また、本実施形態は、先に説明したように、従来から使用されている現金管理システムにおける現金管理機を改良することにより実現することができる。従って、本実施形態によれば、現金管理機１００を改良することにより実現することができることから、本実施形態に係る現金管理システム１の導入に係るコスト等を抑えることができる。
【０１０６】
なお、上述の実施形態においては、引継に係る引継番号、引継元、引継先の担当者の社員番号、引継暗証番号を入力させ、確認することにより、正当な引継先の担当者によって引継が行われることを担保する。併せて、各装置の使用開始の際に、社員カード等による本人認証を行うことによっても、正当な引継先の担当者によって引継が行われることを担保することができる。
【０１０７】
なお、引継先の担当者の業務遂行中に、引継元の担当者から引継いだ釣銭では、顧客への釣銭の払い出しを行うのには足りなくなることがある。具体的には、特定の種別の現金（例えば、千円札）の多くを顧客に釣銭として払い出したために、釣銭機３００において当該種別に係る現金が足りなくなることがある。このような場合、本実施形態においては、引継先の担当者によって、現金管理機１００から釣銭を追加出金し、追加出金した釣銭を釣銭機３００に追加収納してもよい。追加出金された釣銭については、引継先の担当者が追加出金の釣銭情報を現金管理機１００に入力することにより、更なる次の引継先の担当者に残置入金として引継ぐこともできる。
【０１０８】
＜＜第２の実施形態＞＞
次に、本発明の第２の実施形態を説明する。以下に説明する本発明の第２の実施形態は、第１の実施形態に係る現金管理機１００の改良に加えて、窓口端末２００を改良することにより実現される。従って、本実施形態によれば、引継番号を窓口端末２００で生成して管理することにより、担当者間での釣銭の引継に関わる手続きを自動化し、より簡素化することができる。なお、本実施形態においては、現金管理システム１の詳細構成は、上述の第１の実施形態と同様であるため、ここではその説明を省略する。
【０１０９】
＜現金管理方法＞
次に、本実施形態に係る現金管理方法について、図６から図１８を参照して説明する。図１６、図１７及び図１８は、本実施形態に係る窓口端末２００に表示される画面８００、８０８、８１４の一例を説明する説明図である。
【０１１０】
本実施形態に係る現金管理方法においても、先に担当した担当者が釣銭機３００に残した釣銭を、当該釣銭を釣銭機３００に残したまま、次に担当する担当者に引継ぐ、残置入金を行うことができる。本実施形態においても、現金管理機１００と管理端末５００とが協働することにより、このような残置入金を行うことができる。
【０１１１】
本実施形態における「残置入金」では、釣銭の管理を担当する担当者を明確にするために、釣銭機３００に残された釣銭を、誰から誰に引継ぐのかを示す引継情報を取得することが求められる。当該引継情報は、例えば、引継元の担当者の社員番号、引継先の担当者の社員番号、引継ぐ釣銭の金額等の情報が含まれる。さらに、当該引継情報は、引継を特定するための引継番号、引継に係る釣銭機３００を特定する釣銭機番号、引継日時等の情報を含む。上記引継番号は、先に説明したように、引継情報の入力の際に、引継先の担当者が未定である場合、引継ぐ釣銭を特定するために利用する番号である。また、上述の釣銭機番号や、引継日時等の情報は、引継ぐ釣銭をより確実に特定するために用いる情報である。当該引継情報は、引継元又は引継先の担当者によって、現金管理機１００、窓口端末２００等を用いて入力される。
【０１１２】
なお、本実施形態においては、当該引継情報の入力は、引継元である担当者、又は、引継先である担当者、又は、これら両者が行うことができ、特に限定されるものではない。また、本実施形態においては、当該引継情報の入力に関しては、現金管理機１００、窓口端末２００等のどの装置を使用してもよく、特に限定されるものではない。さらに、本実施形態においては、当該引継情報の入力のタイミングは、窓口端末２００において担当者が締上げを行った際でもよく、もしくは、現金管理機１００へ売上金を入金した際でもよく、もしくは、その両方であってもよく、特に限定されるものではない。
【０１１３】
以下に、本実施形態に係る現金管理方法を、引継元の担当者の締上時に窓口端末２００で引継情報を入力して残置入金を行い、引継先の担当者が釣銭機３００に残された釣銭を引継ぐ場合を例として説明する。詳細には、本実施形態に現金管理方法は、第１の実施形態と同様に、図６に示すようなステップＳ１０１からステップＳ１２７までの複数のステップを含むことができる。以下に、本実施形態に係る現金管理方法の各ステップの詳細を説明する。なお、先に説明したように、図６においては、担当者Ａから担当者Ｂへ、さらに、担当者Ｂから担当者Ｃへ、釣銭機３００に残された釣銭を引継ぐ場合を示している。
【０１１４】
（ステップＳ１０１〜ステップＳ１０５）
本実施形態に係るステップＳ１０１からステップＳ１０５は、第１の実施形態のステップＳ１０１からステップＳ１０５と同様であるため、ここではこれらステップの詳細説明を省略する。
【０１１５】
なお、本実施形態においては、窓口端末２００は、図１６に示すような表示画面８００を表示部２０４に表示させることができる。担当者Ａは、表示画面８００の入力欄８０２に、引継先である担当者Ｂの社員番号を入力する。なお、当該表示画面８００は、入力欄８０２以外にも、入力を取り消す取消操作ボタン８０４や、入力した内容を確認した旨を入力する確認操作ボタン８０６等を含んでいてもよい。
【０１１６】
さらに、窓口端末２００は、締上情報、売上情報、引継情報（例えば、引継番号等）を生成し、当該情報を含むレシート等を印刷して、出力する。この際、窓口端末２００は、例えば、引継情報等を示す一次元又は二次元コードを生成し、生成したコードを上記レシートに印字してもよい。そして、窓口端末２００は、引継情報を現金管理機１００へ送信する。
【０１１７】
（ステップＳ１０７）
本実施形態に係るステップＳ１０７は、第１の実施形態のステップＳ１０７と同様であるため、ここでは本実施形態に係るステップＳ１０７の詳細説明を省略する。
【０１１８】
なお、本実施形態においては、担当者Ａは、上述のレシート等に印字された一次元又は二次元コードを現金管理機１００に読み込ませることにより、現金管理機１００に、引継に係る引継番号の入力及び引継元である担当者Ａの社員番号（識別情報）を入力してもよい。
【０１１９】
また、本実施形態においても、現金管理機１００は、図９に示すような引継先である担当者Ｂの社員番号を入力するための入力画面９１２を表示部１０４に表示する。従って、担当者Ａは、当該入力画面９１２に対して操作を行うことにより、担当者Ｂの社員番号を入力することができる。
【０１２０】
そして、現金管理機１００は、記憶部１３０に格納された担当者情報ＤＢ１３２の情報を参照して、入力された担当者Ｂが残置入金を取り扱う権限を持つ従業員であるかを確認する。さらに、現金管理機１００は、窓口端末２００から取得した引継情報と、担当者Ａにより入力された情報とが一致するかを確認する。
【０１２１】
（ステップＳ１０９〜ステップＳ１１３）
本実施形態に係るステップＳ１０９からステップＳ１１３は、第１の実施形態のステップＳ１０９からステップＳ１１３と同様であるため、ここではこれらステップの詳細説明を省略する。
【０１２２】
そして、本実施形態においては、窓口端末２００は、図１７に示すような、引継に係る引継番号の入力及び引継元である担当者Ａの社員番号を入力するための入力画面８０８を表示部２０４に表示する。当該入力画面８０８には、引継番号を入力するための入力欄８１２、及び、引継元である担当者Ａの社員番号を入力するための入力欄８１０が含まれている。担当者Ｂは、例えば、担当者Ａから手渡された残置入金レシート９７０を参照して、入力画面８０８に対して、引継番号及び担当者Ａの社員番号を入力する。なお、当該入力画面８０８は、入力欄８１０、８１２以外にも、入力を取り消す取消操作ボタン８０４や、入力した内容を確認した旨を入力する確認操作ボタン８０６等を含んでいてもよい。
【０１２３】
さらに、窓口端末２００は、現金管理機１００から取得した引継情報と、担当者Ｂにより入力された情報とが一致するかを確認し、実際には担当者Ｂによる釣銭機３００への釣銭２０万円の収納が行われなかったにも関わらず、担当者Ｂによって釣銭機３００に釣銭２０万円が収納されたものとみなして処理を行うこととなる。
【０１２４】
（ステップＳ１１５）
担当者Ｂは、自身の業務時間が終了すると、窓口端末２００を操作して、締上げを行い、釣銭機３００から売上金９０万円を回収する。さらに、窓口端末２００は、図１８に示すような表示画面８１４を表示部２０４に表示する。担当者Ｂは、表示画面８１４の入力欄８１６に、引継先である担当者Ｃの社員番号を入力する。なお、当該表示画面８００には、入力欄８０２以外にも、入力を取り消す取消操作ボタン８０４や、入力した内容を確認した旨を入力する確認操作ボタン８０６等を含んでいてもよい。
【０１２５】
さらに、窓口端末２００は、上述のステップＳ１０５と同様に、締上情報、売上情報、引継情報を生成し、当該情報を含むレシート等を、印刷して、出力する。そして、窓口端末２００は、引継情報を現金管理機１００へ送信する。
【０１２６】
（ステップＳ１１７〜ステップＳ１２７）
本実施形態に係るステップＳ１１７からステップＳ１２７は、第１の実施形態のステップＳ１１７からステップＳ１２７と同様であるため、ここではこれらステップの詳細説明を省略する。
【０１２７】
以上のような本実施形態の現金管理方法にかかる取引の情報は、売上情報管理サーバ４００と現金管理機１００に格納されている。例えば、売上情報管理サーバ４００と現金管理機１００は、取引情報を、図１５に示すような情報テーブル９３０として格納することができる。そして、管理端末５００は、売上情報管理サーバ４００又は現金管理機１００から上記情報テーブル９３０を取得することにより、表示部５０４に当該テーブル９３０を表示することができる。
【０１２８】
このように、本実施形態においては、窓口端末２００で引継番号を生成して管理することで、引継に関わる手順の自動化或いは簡略化を行うことができる。
【０１２９】
＜＜第３の実施形態＞＞
上述した第１、第２の実施形態においては、現金管理機１００が格納する引継情報を用いることにより、残置入金に係る引継処理を行っていたが、以下に説明する本発明の第３の実施形態においては、売上情報管理サーバ４００に引継情報ＤＢ４３８（図１９参照）を格納することによって、第１、２の実施形態と同様に残置入金に係る引継処理を行うこともできる。このような本実施形態の詳細を以下に説明する。
【０１３０】
なお、本実施形態に係る現金管理システム１及び現金管理システム１に含まれる各装置の構成は、売上情報管理サーバ４００の記憶部４３０ａ（図１９  参照）に引継情報ＤＢ４３８が含まれていること以外は、第１の実施形態と共通する。従って、ここでは、本実施形態に係る売上情報管理サーバ４００の記憶部４３０ａ以外の、本実施形態に係る現金管理システム１及び現金管理システム１に含まれる各装置の構成についての説明を省略する。
【０１３１】
まず、本実施形態に係る売上情報管理サーバ４００の記憶部４３０ａを、図１９を参照して説明する。図１９は、本実施形態に係る記憶部４３０ａに格納される情報の構成例を説明する説明図である。図１９に示すように、本実施形態に係る売上情報管理サーバ４００の記憶部４３０ａは、引継情報ＤＢ４３８を含む。なお、当該引継情報ＤＢ４３８に格納される情報は、上述した第１の実施形態の現金管理機１００の記憶部１３０に格納される引継情報ＤＢ１３８と同様の情報を格納しているため、ここでは詳細な説明を省略する。
【０１３２】
また、本実施形態に係る現金管理方法は、図６に示される第１の実施形態に係る現金管理方法のシーケンス図と同様に行われる。しかしながら、本実施形態においては、現金管理機１００及び窓口端末２００は、引継情報を、売上情報管理サーバ４００へ送信し、売上情報管理サーバ４００から受信する点で、第１の実施形態と異なる。
【０１３３】
以上のように、本実施形態によれば、第１、第２の実施形態と同様に、釣銭機３００等に釣銭を残したまま、次に担当する担当者に当該釣銭を引継ぐことが可能となることから、これまで引継時間の大半を占めていた、先の担当者による釣銭機３００からの釣銭の回収、回収した釣銭の現金管理機１００への入金、及び、次の担当者による現金管理機１００からの釣銭の出金、出金した釣銭の釣銭機３００への収納等の作業が不要となる。その結果、本実施形態によれば、窓口端末２００及び釣銭機３００が引継のために停止する業務停止時間を最小限に抑えることができる。
【０１３４】
さらに、本実施形態によれば、第１、第２の実施形態と同様に、先の担当者用の釣銭と次の担当者用の釣銭として２倍の額の釣銭（釣銭準備金）を現金管理機１００に準備することもないことから、釣銭準備金金額を圧縮することができる。
【０１３５】
＜＜まとめ＞＞
以上のように、上述した各実施形態においては、釣銭機３００等に釣銭を残したまま、次に担当する担当者に当該釣銭を引継ぐことが可能となることから、これまで引継時間の大半を占めていた、先の担当者による釣銭機３００からの釣銭の回収、回収した釣銭の現金管理機１００への入金、及び、次の担当者による現金管理機１００からの釣銭の出金、出金した釣銭の釣銭機３００への収納等の作業が不要となる。その結果、本実施形態によれば、窓口端末２００及び釣銭機３００が引継のために停止する業務停止時間を最小限に抑えることができる。さらに、これら実施形態においては、先の担当者用の釣銭と次の担当者用の釣銭として２倍の額の釣銭（釣銭準備金）を現金管理機１００に準備することもないことから、釣銭準備金金額を圧縮することができる。
【０１３６】
なお、上述の説明においては残置入金レシート９７０を発行していたが、上述した各実施形態においては、残置入金レシート９７０の発行の代わりに、もしくは、残置入金レシート９７０の発行と同時に、残置入金レシート９７０と同様の情報を各担当者が携帯する携帯端末６００に送信してもよい。このようにすることで、誤って残置入金レシート９７０を遺失してしまった場合であっても、釣銭を引継ぐ残置入金を行うことができる。
【０１３７】
＜＜補足＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３８】
また、上述した本発明の実施形態の現金管理方法における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理についても、必ずしも記載された方法に沿って処理されなくてもよく、例えば、他の機能部によって他の方法で処理されていてもよい。
【０１３９】
さらに、上記の実施形態に係る現金管理方法の少なくとも一部は、コンピュータを機能させる情報処理プログラムとして、ソフトウェアで構成することが可能であり、ソフトウェアで構成する場合には、これらの方法の少なくとも一部を実現するプログラムをフレキシブルディスクやＣＤ−ＲＯＭ（Ｃｏｍｐａｃｔ  Ｄｉｓｃ  Ｒｅａｄ  Ｏｎｌｙ  Ｍｅｍｏｒｙ）等の記録媒体に収納し、ＰＣ等に読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【０１４０】
１    現金管理システム
１００    現金管理機
１０２、２０２、５０２、６０２    入力部
１０４、２０４、５０４、６０４    表示部
１０６    紙幣入出金部
１０８    硬貨入出金部
１１０    プリンタ部
１１２    バーコードリーダ部
１１４、４１４    通信部
１２０、４２０    制御部
１２２    情報取得部
１２４    現金管理処理部
１２６    引継処理部
１３０、４３０、４３０ａ    記憶部
１３２、４３２    担当者情報ＤＢ
１３４、４３４    釣銭情報ＤＢ
１３６、４３６    売上情報ＤＢ
１３８、４３８    引継情報ＤＢ
２００    窓口端末
２１０、６１０    プリンタ
３００    釣銭機
４００    売上情報管理サーバ
４４０    締上情報ＤＢ
５００    管理端末
６００    携帯端末
７００    通信網
８００、８０８、８１４、９００、９０４、９１２、９１６、９１８、９２０、９２２    画面
８０２、８１０、８１２、８１６、９０６、９１４    入力欄
８０４、８０６、９０２、９１０    操作ボタン
９３０    情報テーブル
９５０、９５２    領域
９７０    残置入金レシート
９８０    残値入金引継情報レシート
【図１】
2019061626.tif 000003
【図２】
2019061626.tif 000004
【図３】
2019061626.tif 000005
【図４】
2019061626.tif 000006
【図５】
2019061626.tif 000007
【図６】
2019061626.tif 000008
【図７】
2019061626.tif 000009
【図８】
2019061626.tif 000010
【図９】
2019061626.tif 000011
【図１０】
2019061626.tif 000012
【図１１】
2019061626.tif 000013
【図１２】
2019061626.tif 000014
【図１３】
2019061626.tif 000015
【図１４Ａ】
2019061626.tif 000016
【図１４Ｂ】
2019061626.tif 000017
【図１５】
2019061626.tif 000018
【図１６】
2019061626.tif 000019
【図１７】
2019061626.tif 000020
【図１８】
2019061626.tif 000021
【図１９】
2019061626.tif 000022